(57)【要約】【課題】  選別部のメンテナンス性を高めることができる脱穀装置を提供する。【解決手段】  扱室２を備えた上部構造体Ｕと、選別部５、１番回収部１５、および、２番回収部１６を備えた下部構造体Ｄを別体に構成し、前記下部構造体Ｄを上部構造体Ｕに対して抜き差し脱着可能に連結してある。【選択図】        図１
2006325546.tif 000002
【特許請求の範囲】
【請求項１】
扱室を備えた上部構造体と、選別部、１番回収部、および、２番回収部を備えた下部構造体を別体に構成し、前記下部構造体を上部構造体に対して抜き差し脱着可能に連結してあることを特徴とする脱穀装置。
【請求項２】
前記下部構造体を上部構造体に対して選別部における処理物揺動移送方向に抜き出し可能に構成してある請求項１記載の脱穀装置。
【請求項３】
前記１番回収部に回収された穀粒を揚送する揚穀装置を上部構造体に取付け支持し、この揚穀装置の下端部を前記下部構造体に対して分離可能に連結し、前記２番回収部に回収された２番物を選別部の前部に返送する還元装置を上部構造体および下部構造体に対して脱着可能に構成してある請求項２記載の脱穀装置。
【請求項４】
前記１番回収部の横送りスクリューと前記揚穀装置、および、前記２番回収部の横送りスクリューと前記還元装置とをそれぞれチェーンで連動連結するとともに、各チェーンを収容支持したチェーンケースをチェーン収容状態で脱着可能に構成してある請求項３記載の脱穀装置。
【請求項５】
下部構造体を抜き差し脱着方向にのみ案内して、下部構造体が抜き差し脱着方向と直交する方向および上下方向およびへ移動するのを阻止する案内構造を備えてある請求項１〜４のいずれか一項に記載の脱穀装置
【請求項６】
前記上部構造体の前部下方に選別風供給用の唐箕を装備し、この唐箕の導風ケーシングを、上部構造体に属するケーシング部分と前記下部構造体の前部に備えられたケーシング部分に分割してある請求項１〜５のいずれか一項に記載の脱穀装置。
【請求項７】
前記上部構造体に、扱胴を軸支して上方に揺動開放可能な扱胴ケースを備えてある請求項１〜６のいずれか一項に記載の脱穀装置。
【発明の詳細な説明】
【技術分野】
【０００１】
本発明は、コンバインに搭載される脱穀装置に関する。
【背景技術】
【０００２】
近年、コンバインに搭載される脱穀装置としては、メンテナンス性を高めるための種々の工夫が加えられており、例えば、特許文献１に示されているように、扱胴を軸支した扱胴ケースを上方に揺動開放できるように構成したものや、例えば、特許文献２に示されているように、選別部に備えられた揺動選別ケースだけを単体で機体後方に抜き外すように構成されたもの、などが開発されて実用化されている。
【特許文献１】特開２００２−２２３６２４号公報
【特許文献２】特開平９−１５４３９０号公報
【発明の開示】
【発明が解決しようとする課題】
【０００３】
特許文献１に示される構造のものでは、扱胴ケースを上方に持上げて受網の上方において扱室を大きく開放することで、扱室内の清掃や詰まりの除去、受網の清掃や交換を容易に行うことができるとともに、扱胴ケースを上方に揺動開放して受網を取外すと選別部の上方を開放することができ、これによって揺動選別用の揺動選別ケースを上方に露出させ、揺動選別ケースの清掃、等を行うことができる。また、特許文献２に示される構造のものでは、揺動選別ケースを単体で機体後方に抜き出すことで、広い作業空間に取り出した揺動選別ケースの各部を点検整備することができるものとなっている。
【０００４】
しかし、扱胴ケースを上方に揺動開放して受網を取外して選別部を上方に露出開放しても、脱穀装置がコンバイン機体に搭載されている状態では、選別部の上端は高い位置にあり、大型機では高い足場を用意して揺動選別ケースの清掃や点検整備を行う必要があった。また、選別部の上方が露出されているとは言え、その上方には扱胴ケースに支持された扱胴が位置しているので、この扱胴が選別部のメンテナンス作業にとって邪魔になることもある。
【０００５】
また、揺動選別ケースの周辺には処理物が揺動選別ケースの周囲から下方に洩れるのを防止するためにシール用の弾性シートが外方に向けて張り出し装備されているので、揺動選別ケースを単体で機体後方に抜き出す構造では、メンテナンス作業の後、揺動選別ケースを脱穀装置後端の排塵口からから挿入して再装着する際に、弾性シートが局部的に下方にめくり込まれてしまうおそれがあり、取外した揺動選別ケースの再装着には手数がかかるものとなっていた。
【０００６】
本発明は、このような点に着目してなされたものであって、選別部のメンテナンス性を一層高めることができる脱穀装置を提供することを目的としている。
【課題を解決するための手段】
【０００７】
第１の発明に係る脱穀装置は、扱室を備えた上部構造体と、選別部、１番回収部、および、２番回収部を備えた下部構造体を別体に構成し、前記下部構造体を上部構造体に対して抜き差し脱着可能に連結してあることを特徴とする。
【０００８】
上記構成によると、下部構造体を上部構造体から抜き外して広い空間に置くことで、選別部を四方から容易に覗き込める状態でメンテナンス作業を行うことができ、選別部に備えられた揺動選別ケースの清掃、等を容易に行うことができる。また、全面的に露出された揺動選別ケースの脱着が容易になるとともに、特に、揺動選別ケースの周辺に備えられた弾性シートを監視することができるので、弾性シートを適切な姿勢にして再装着することができる。
【０００９】
分離した下部構造体から揺動選別ケースを取外すと、１番回収部と２番回収部とが大きく露出されることになり、その清掃が容易になるとともに、１番回収部および２番回収部の横送りスクリューの点検整備も容易となる。
【００１０】
従って、第１の発明によると、選別部のメンテナンス性を一層高めることが可能となった。
【００１１】
第２の発明は、上記第１の発明において、
前記下部構造体を上部構造体に対して選別部における処理物揺動移送方向に抜き出し可能に構成してあるものである。
【００１２】
上記構成によると、脱穀装置は一般に処理物揺動選別方向での長さ（機体前後方向長さ）が、これと直交する方向での長さ（横幅）よりも大きいものであるので、下部構造体は抜き差し方向に長いものとなり、下部構造体を長手方向にこじれなく円滑に抜き差しすることができる。
【００１３】
第３の発明は、上記第２の発明において、
前記１番回収部に回収された穀粒を揚送する揚穀装置を上部構造体に取付け支持し、この揚穀装置の下端部を前記下部構造体に対して分離可能に連結し、前記２番回収部に回収された２番物を選別部の前部に返送する還元装置を上部構造体および下部構造体に対して脱着可能に構成してあるものである。
【００１４】
上記構成によると、揚穀装置の下端部を下部構造体に対して分離するとともに、還元装置を取り外し、この状態で下部構造体を処理物揺動移送方向に抜き外すことができる。つまり、１番回収部は下部構造体抜の抜き外し方向の上手に位置しているので、揚穀装置が上部構造体に取り残されていても支障はない。また、１番回収部に備えられた横送りスクリューと揚穀装置との連動部が突出していても、下部構造体抜の抜き外し方向の下手に位置している還元装置が取外されているので、下部構造体は上部構造体側の固定物に邪魔されることなく抜き外すことができる。
【００１５】
第４の発明は、上記第３の発明において、
前記１番回収部の横送りスクリューと前記揚穀装置、および、前記２番回収部の横送りスクリューと前記還元装置とをそれぞれチェーンで連動連結するとともに、各チェーンを収容支持したチェーンケースをチェーン収容状態で脱着可能に構成してあるものである。
【００１６】
上記構成によると、下部構造体を抜き外すために上部構造体に連結支持された揚穀装置と下部構造体との連結を解除する場合に、チェーンケースごとチェーンを外すことで１番回収部の横送りスクリューと揚穀装置との連動を簡単迅速に解除することができる。また、還元装置を取外す場合に、チェーンケースごとチェーンを外すことで２番回収部の横送りスクリューと還元装置との連動を簡単に解除することができる。また、下部構造体を再装着した後における１番回収部の横送りスクリューと揚穀装置との連動、および、２番回収部の横送りスクリューと還元装置との連動を各チェーンケースの装着によって簡単迅速に行うことができる。
【００１７】
第５の発明は、上記第１〜４のいずれか一つの発明において、
下部構造体を抜き差し脱着方向にのみ案内して、下部構造体が抜き差し脱着方向と直交する方向および上下方向およびへ移動するのを阻止する案内構造を備えてあるものである。
【００１８】
上記構成によると、下部構造体の抜き差し移動が円滑容易に行えるとともに、差込み装着した状態での上部構造体と下部構造体の相対位置が適正に確保され、運転中の振動や騒音の発生を抑制することに有効となる。
【００１９】
第６の発明は、上記第１〜５のいずれか一つの発明において、
前記上部構造体の前部下方に選別風供給用の唐箕を装備し、この唐箕の導風ケーシングを、上部構造体に属するケーシング部分と前記下部構造体の前部に備えられたケーシング部分に分割してあるものである。
【００２０】
上記構成によると、下部構造体の前部に備えられたケーシング部分は、下部構造体の唐箕軸心方向で対向する側板同士をつなぐ部材となり、かつ、このケーシング部分は唐箕軸心方向から見て湾曲する剛性の高い部材となり、必要部材を有効に利用して下部構造体の前部における強度を高いものにすることができる。
【００２１】
第７の発明は、上記第１〜６のいずれか一つの発明において、
前記上部構造体に、扱胴を軸支して上方に揺動開放可能な扱胴ケースを備えてあるものである。
【００２２】
上記構成によると、上記第１〜６のいずれか一つの発明の上記効果をもたらすとともに、扱室、扱胴、および受網のメンテナンスも容易に行うことができ、一層メンテナンス性に優れた脱穀装置とすることができる。
【発明を実施するための最良の形態】
【００２３】
図１に、自脱型コンバインに搭載される脱穀装置の縦断した側面図が示されている。この脱穀装置は、図外左方の刈取り部から搬送されてきた横倒れ姿勢の刈取り穀稈をフィードチェーン１で受取り、その穂部を扱室２に挿入した状態で図中左方から右方に通過搬送することで、扱室２に前後水平に軸支した扱胴３によって脱穀処理するよう構成されている。
【００２４】
扱室２において穀稈から分離された処理物は扱室２の下部に沿って張設した受網４で選別され、受網４を漏下した処理物は扱室２の下方に配備された選別部５の前半部に落下供給されるとともに、受網４を漏下しなかった処理物は扱室終端の送塵口６から搬出されて選別部５の前後中間部に落下供給される。選別部５に落下供給された処理物は前後に長い揺動選別ケース７で受け止められ、載置した処理物は後方（図１では右方）に向けて揺動搬送されながら上下２段の前部グレンパン８ａ，８ｂで比重差選別されるとともに、粗選別用のチャフシーブ９、精選別用のグレンシーブ１０、ほぐし用の選別ラック１１、ストローラック１２、などを利用して篩い選別される。また、選別部前端部に備えた唐箕１３および補助送風ファン１４から後方上方に向けて流動する選別風が、篩い選別されて落下する処理物に供給されて、処理物に含まれている軽いワラ屑や塵埃が後方に飛散排出されようになっている。
【００２５】
そして、グレンシーブ１０から漏下した穀粒は１番回収部１５に、また、ストローラック１２から漏下した２番物は２番回収部１６にそれぞれ選別回収され、ストローラック１２で漏下しないワラ屑が選別部後端の排塵口１７から外部に排出されるようになっている。また、１番回収部１５に回収された１番物（穀粒）は横送りスクリュー２０によって機外にまで横送りされ後、スクリュー式の揚穀装置２１によって揚送されて図示されない穀粒タンクに供給投入され、２番回収部１６に回収された２番物は横送りスクリュー２２によって横送りされた後、スクリュー式の還元装置２３によって揺動選別ケース７の前部に還元供給されて再選別処理を受けるようになっている。
【００２６】
なお、前記補助送風ファン１４は横断流ファンで構成されており、上下２段の前部グレンパン８ａ，８ｂの段差部、および、下段の前部グレンパン８ｂとチャフシーブ９との段差部に選別風を供給して、この段差を落下する処理物中の軽いワラ屑を早期の内に後方に飛散移送するよう構成されている。
【００２７】
また、扱室２の後方で選別部５の後部上方箇所には、排ワラ搬送経路の下側に位置させて横断流ファンからなる排塵ファン２４が横架されており、扱室２終端の送塵口６から吹き出てきた浮塵やワラ屑、選別風によって選別部５の後部上方に吹き上げられた浮塵やワラ屑が排塵ファン２４に吸引されて強制的に機体後方に排出されるようになっている。なお、この排塵ファン２４の上方には排ワラ搬送装置２５が配備されており、扱室２から搬出されてきた排ワラが前記フィードチェーン１から排ワラ搬送装置２５に受継がれて後方かつ穂先側に向けて斜め搬送され、脱穀装置後端上部に連結装備された円板型の排ワラカッタ２６に供給されて細断されるようになっている。
【００２８】
前記揺動選別ケース７は樹脂成形されたものであり、その前部における左右外側面に装備されたガイドローラ２８が選別部５における左右側板５ａの内側に設けられたガイドレール２９に後方から係入支持されるとともに、揺動選別ケース７の後部下側が偏心クランク機構３０に連結され、この偏心クランク機構３０の回転作動によってケース前部は後上がり傾斜した直線状に前後動されるとともに、ケース後部が前後および上下に回転変位され、揺動選別ケース７の前後中間部は上下に扁平な楕円軌跡で循環回動するよう構成されている。また、揺動選別ケース７における前側辺と左右側辺の上端には、脱穀装置側板と揺動選別ケース７との間から処理物が洩れ落ちるのを防止するために弾性シート材３１が取付けられて、その先端部が脱穀装置側板に摺接されている。また、揺動選別ケース７と偏心クランク機構３０との連結を解除することで、揺動選別ケース７を単独で後方に抜き外すことが可能となっている。
【００２９】
脱穀装置の基本的な構造は以上のようであり、本発明では、メンテナンス性を高めるために以下のような構造が備えられている。
【００３０】
すなわち、この脱穀装置は、扱室２、排塵ファン２４、排ワラ搬送装置２５、排ワラカッタ２６、唐箕１３、および、補助送風ファン１４を備えた上部構造体Ｕと、選別部５、１番回収部１５、および、２番回収部１６を備えた下部構造体Ｄが別体に構成されており、下部構造体Ｄが上部構造体Ｕに対して選別部５における処理物揺動移送方向、つまり、装置後方に抜き出すことができるように構成されている。
【００３１】
ここで、上部構造体Ｕの前端部および後部には左右一対の脚部３５，３６が備えられており、各脚部３５，３６の下端がコンバインにおける主フレーム３７に連結され、上部構造体Ｕが独立して主フレーム３７上に固定支持されるようになっている。図７に示すように、後部の脚部３６は下部構造体Ｄを跨ぐようにその左右間隔が大きく設定されている。なお、下部構造体Ｄの抜き出しに際しては、上部構造体Ｕと下部構造体Ｄの接続部、および、下部構造体Ｄと主フレーム３７との接続部におけるボルト連結を解除することになる。
【００３２】
前記唐箕１３の導風ケーシング３８は、その前半下方のケーシング部分３８ｕと後半上方のケーシング部分３８ｄとの分割されており、前半下方のケーシング部分３８ｕが上部構造体Ｕに属し、後半上方のケーシング部分３８ｄが下部構造体Ｄに属している。下部構造体Ｄに属する部分円筒状のケーシング部分３８ｄは選別部５の左右側板をつなぐ立体構造の横枠とされており、下部構造体Ｄの強度部材として機能する。
【００３３】
下部構造体Ｄを後方に抜き出すことができるように、前記揚穀装置２１と還元装置２３とが以下のように構成されている。
【００３４】
図４に示すように、前記揚穀装置２１は、下部構造体Ｄにおける機体右側の横外側に起立姿勢で連結固定された搬送筒４１に縦送りスクリュー４２を内装して構成されており、縦送りスクリュー４２の下端部と前記横送りスクリュー２０の終端部とがチェーン４３を介して連動連結されている。つまり、搬送筒４１の下端部には縦送りスクリュー４２を下端から駆動するベベルギヤケース４４が備えられ、他方、下部構造体Ｄの横外側には、横送りスクリュー２０で送られてきた穀粒を回転羽根４５によって跳ね飛ばして搬送筒４１の下部に供給する接続ケース４６が設けられるとともに、この接続ケース４６の横外側に突出されたスクリュー軸２０ａと、前記ベベルギヤケース４４から横外方に突出された入力軸４８とが前記チェーン４３で連動連結されているのである。
【００３５】
ここで、スクリュー軸２０ａに装着されたスプロケット４９、入力軸４８に装着されたスプロケット５０、および、これらに巻き掛けられた前記チェーン４３はチェーンケース５１に組み込み支持されており、チェーンケース５１を横外方に引き外すことで、チェーン４３をスプロケット４９，５０に巻き掛けたままでスクリュー軸２０ａおよび入力軸４８から取り外すことができ、チェーンケース５１を取外した状態では、上部構造体Ｕに固定された揚穀装置２１に対して下部構造体Ｄを後方に抜き出すことが可能となる。
【００３６】
前記還元装置２３は、上部構造体Ｕおよび下部構造体Ｄに亘って起立姿勢で連結固定された搬送筒５３に縦送りスクリュー５４を内装して構成されるとともに、この搬送筒５３の上端に連設された吐出ケース５３ａが、上部構造体Ｕの横外側に取付けられた還元用ダクト５５の後向き開口端に脱着可能に接続されており、縦送りスクリュー５４によって上方に搬送された２番物はスクリュー上端部に備えた回転羽根５６によって吐出ケース５３ａから前方に放出され、前記還元用ダクト５５を介して選別部５の前部に飛散供給されるようになっている。
【００３７】
また、縦送りスクリュー５４の下端部と前記横送りスクリュー２２の終端部とがチェーン５５を介して以下のように連動連結されている。つまり、搬送筒５３の下端部には縦送りスクリュー５４を下端から駆動するベベルギヤケース５６が備えられ、他方、下部構造体Ｄの横外側には、横送りスクリュー２２で送られてきた２番物を固定歯５７と回転処理歯５８とによって打撃して単粒化処理する処理ケース５９が設けられている。この処理ケース５９は、単粒化処理した２番物を還元装置２３における搬送筒５３の下部に飛散供給する機能をも備えている。そして、この処理ケース５９から横外方に突出されたスクリュー軸２２ａと、前記ベベルギヤケース５６から横外方に突出された入力軸６１とが前記チェーン５５で連動連結されているのである。
【００３８】
また、スクリュー軸２２ａに装着されたスプロケット６２、入力軸６１に装着されたスプロケット６３、および、これらに巻き掛けられたチェーン５５はチェーンケース６４に組み込み支持されており、チェーンケース６４を横外方に引き外すことで、チェーン５５をスプロケット６２，６３に巻き掛けたままでスクリュー軸２２ａおよび入力軸６１から取り外すことができ、チェーンケース６４を取外すとともに還元装置２３を上部構造体Ｕおよび下部構造体Ｄから取外すことで、図６に示すように、下部構造体Ｄを後方に抜き出すことが可能となる。
【００３９】
なお、以上のようにして抜き出された下部構造体Ｄは、揺動選別ケース７が全面的に露出されるので、揺動選別ケース７の詰まりの除去や清掃、あるいは、破損部品の交換、などを容易に行うことができる。また、揺動選別ケース７を取外すことで、１番回収部１５および２番回収部１６を大きく露出させて清掃、等を容易に行うことができる。
【００４０】
なお、図８中の仮想線で示すように、上部構造体Ｕには、前記扱胴３を支承した扱胴ケース７０が支点Ｐ周りに上方に回動可能に構成されており、扱胴ケース７０を持上げ揺動することで、扱室２を開放して扱胴３および受網４を露出することができ、扱室２の清掃、扱歯の補修や交換、受網４の清掃や交換、などを容易に行うことができる。なお、持上げ揺動された扱胴ケース７０はガスダンパ７１によって持上げ姿勢に弾性保持されるようになっている。
【００４１】
〔他の実施例〕
【００４２】
（１）図１０に示すように、上部構造体Ｕと下部構造体Ｄとの接続部位および下部構造体Ｄと主フレーム３７との接続部位に、前後方向に沿って嵌合するスライドレール７２，７３を利用した案内手段を装備し、嵌合案内された下部構造体Ｄの上下および左右にずれ動きを阻止するように構成すると、下部構造体の脱着が容易となる。
【００４３】
（２）前記下部構造体Ｄを、横外側方（この実施例ではフィードチェーン１のある側）へ抜き出し可能に構成することも可能である。
【００４４】
（３）本発明は、フィードチェーン１を備えない全稈投入型の脱穀装置に適用することもできる。
【図面の簡単な説明】
【００４５】
【図１】機体左側から見た脱穀装置の縦断側面図
【図２】機体左側から見た上部構造体の縦断側面図
【図３】機体左側から見た下部構造体の縦断側面図
【図４】機体右側から見た脱穀装置を全体側面図
【図５】機体右側から見た上部構造体の側面図
【図６】機体左側から見た下部構造体の側面図
【図７】脱穀装置の背面図
【図８】上部構造体の背面図
【図９】下部構造体の背面図
【図１０】上部構造体と下部構造体の接続構造の別実施例を示す背面図
【符号の説明】
【００４６】
３              扱胴
５              選別部
１３            唐箕
１５            １番回収部
１６            ２番回収部
２０            横送りスクリュー
２１            揚穀装置
２２            横送りスクリュー
２３            還元装置
３８            導風ケーシング
３８ｄ          ケーシング部分
３８ｕ          ケーシング部分
４３            チェーン
５１            チェーンケース
５５            チェーン
６４            チェーンケース
７０            扱胴ケース
Ｄ              下部構造体
Ｕ              上部構造体
【図１】
2006325546.tif 000003
【図２】
2006325546.tif 000004
【図３】
2006325546.tif 000005
【図４】
2006325546.tif 000006
【図５】
2006325546.tif 000007
【図６】
2006325546.tif 000008
【図７】
2006325546.tif 000009
【図８】
2006325546.tif 000010
【図９】
2006325546.tif 000011
【図１０】
2006325546.tif 000012